(57)【要約】【課題】  キャビネット内部の清潔感を向上させて各種収納物を収納できて、内部空間の有効活用が図れると共に使い勝手の向上を図り得るキャビネットを提供する。【解決手段】  上面開口部にシンクやボウルが配置され内部後方側に前記シンクやボウルの排水口に連結された給排水管等が配置されたキャビネット本体を有するキャビネットにおいて、キャビネット本体の少なくとも内面側を耐熱材で形成して給排水管等の前面側を覆うカバーを配置すると共に、キャビネット本体内を換気するファンを有する換気手段とキャビネット本体内を乾燥させるヒータを有する乾燥手段を配置する。【選択図】  図３
2006061525.tif 000002
【特許請求の範囲】
【請求項１】
上面開口部にシンクやボウルが配置され内部後方側に前記シンクやボウルの排水口に連結された給排水管等が配置されたキャビネット本体を有するキャビネットにおいて、
前記キャビネット本体内に、前記給排水管等の前面側を覆うカバーを配置すると共に、キャビネット本体内を換気する換気手段とキャビネット本体内を乾燥させる乾燥手段を配置したことを特徴とするキャビネット。
【請求項２】
前記換気手段は、キャビネット本体の前面上部に配置されキャビネット本体の前面上部に設けた吸込口から空気を吸い込んでキャビネット本体の前面下部に設けた吹出口から吹き出すファンを有し、前記乾燥手段は、キャビネット本体内で前記ファンの近傍に設けられたヒータを有することを特徴とする請求項１に記載のキャビネット。
【請求項３】
前記キャビネット本体は、少なくともその内面側が金属や樹脂等の耐熱材で形成されていることを特徴とする請求項１または２に記載のキャビネット。
【請求項４】
前記キャビネット本体内が複数の収納空間に区画され、各収納空間に換気手段と乾燥手段の少なくとも一方が配置されることを特徴とする請求項１ないし３のいずれかに記載のキャビネット。
【請求項５】
前記乾燥手段は、キャビネット本体の前面開口部に開閉可能もしくは引き出し可能に設けた扉の裏面に配置されることを特徴とする請求項１ないし４のいずれかに記載のキャビネット。
【発明の詳細な説明】
【技術分野】
【０００１】
本発明は、キッチンや洗面化粧台等において、上面開口部にシンクやボウルが配置されるキャビネットに関する。
【背景技術】
【０００２】
従来、キッチンのシンクキャビネットや洗面化粧台のキャビネットは、その内部後方側に、シンクやボウル底面の排水口に接続された排水管やシンク等の後方上面の水栓に接続された給水管がむき出し状態で配置されたり、あるいはシンクキャビネットに食器洗い乾燥機や浄水器が設置される場合には、これらへの分岐水栓等がキャビネットの内部後方側にむき出し状態で配置されている。そして、これらのキャビネット内部の底板上には、キッチンで使用される洗剤等が収納されて使用されているのが一般的である。なお、この種のキャビネットとしては、例えば特許文献１に開示されている。
【特許文献１】特開２００３−２９９５３１号公報
【発明の開示】
【発明が解決しようとする課題】
【０００３】
しかしながら、このようなキャビネットにおいては、その内部後方側に排水管や給水管あるいは分岐水洗等がむき出し状態で配置されているため、該キャビネット内の湿度が室内より高くなる場合があると共に、給排水管等が直接視認されて衛生的でないというイメージを受け易く、例えばシンクキャビネットの場合、鍋、ボール、ざる、フライパン、まな板等の調理器具や食品あるいはタオル等の収納に抵抗感があり、広い収納空間があるにも係わらずキャビネットの内部空間を有効活用することが難しい。
【０００４】
また、キャビネット自体が木製で形成されていることから、濡れた調理器具等をそのまま内部空間内の底板上に収納することは、キャビネットの耐久性の面から好ましくなく、例えば対面型キッチンのシンクキャビネットの場合には、カウンター上に水切り網籠を置いて調理器具等を乾燥させた後に収納しているのが実情である。そのため、洗浄した調理器具等をキャビネット内にそのまま収納することができず、リビング側から視認されるカウンター上面を常に整理・整頓した状態に維持することが難しく、キャビネットの使い勝手の面でも劣ることになる。
【０００５】
本発明は、このような事情に鑑みてなされたもので、その目的は、キャビネット内部の清潔感を向上させて各種収納物を収納できて、内部空間の有効活用が図れると共に使い勝手の向上を図り得るキャビネットを提供することにある。また、他の目的は、前記目的に加え、キャビネット自体の耐久性を向上させ得るキャビネットを提供することにある。
【課題を解決するための手段】
【０００６】
かかる目的を達成すべく、本発明のうち請求項１に記載の発明は、上面開口部にシンクやボウルが配置され内部後方側に前記シンクやボウルの排水口に連結された給排水管等が配置されたキャビネット本体を有するキャビネットにおいて、前記キャビネット本体内に、前記給排水管等の前面側を覆うカバーを配置すると共に、キャビネット本体内を換気する換気手段とキャビネット本体内を乾燥させる乾燥手段を配置したことを特徴とする。
【０００７】
そして、請求項２に記載の発明のように、前記換気手段が、キャビネット本体の前面上部に配置されキャビネット本体の前面上部に設けた吸込口から空気を吸い込んでキャビネット本体の前面下部に設けた吹出口から吹き出すファンを有し、前記乾燥手段が、キャビネット本体内で前記ファンの近傍に設けられたヒータを有することが好ましい。また、前記キャビネット本体は、請求項３に記載の発明のように、少なくともその内面側が金属や樹脂等の耐熱材で形成されていることが好ましい。
【０００８】
さらに、請求項４に記載の発明のように、前記キャビネット本体内が複数の収納空間に区画され、各収納空間に換気手段と乾燥手段の少なくとも一方が配置されることが好ましい。また、請求項５に記載の発明のように、前記乾燥手段が、キャビネット本体の前面開口部に開閉可能もしくは引き出し可能に設けた扉の裏面に配置されることが好ましい。
【発明の効果】
【０００９】
本発明の請求項１に記載の発明によれば、キャビネット本体内の給排水管等の前面側がカバーで覆われ、キャビネット本体内が換気手段で換気されると共に乾燥手段で乾燥されるため、カバーで給排水管等を隠蔽できてキャビネット本体内に清潔感が得られると共に、キャビネット本体内を換気手段や乾燥手段で換気及び乾燥させてじめじめ感を解消でき、内部空間を調理器具や食品等の収納空間として有効活用できる等、その使い勝手を向上させることができる。
【００１０】
また、請求項２に記載の発明によれば、請求項１に記載の発明の効果に加え、換気手段がキャビネット本体の前面上部に設けたファンを有し、乾燥手段がファン近傍に配置したヒータを有するため、ファンによりキッチン等の所定高さ位置からキャビネット本体内に吸い込んだ空気をヒータで加温して温風とし、この温風をキャビネット本体内を下方に流して前面下部からキッチンの床面上に吹き出すことができて、キャビネット本体内に温風を良好に流して内部空間の換気と乾燥を効率良く行うことができる。
【００１１】
また、請求項３に記載の発明によれば、請求項１または２に記載の発明の効果に加え、キャビネット本体の少なくともその内面側が金属や樹脂等の耐熱材で形成されているため、キャビネット本体の温度や湿度あるいは水滴等に対する耐久性を高めることができて、長期に亘り安定して使用可能なキャビネットを得ることができる。
【００１２】
さらに、請求項４に記載の発明によれば、請求項１ないし３に記載の発明の効果に加え、キャビネット本体内が複数の収納空間に区画され、各収納空間に換気手段と乾燥手段の少なくとも一方が配置されるため、例えば二つに区画された収納空間のうち、一方に換気手段と乾燥手段を配置し他方に換気手段を配置する等して使用でき、キャビネット本体内の収納空間を複数の形態で選択使用できる等、その使い勝手を一層向上させることができる。
【００１３】
また、請求項５に記載の発明によれば、請求項１ないし４に記載の発明の効果に加え、乾燥手段がキャビネット本体の前面開口部に開閉可能もしくは引き出し可能に設けた扉の裏面に配置されるため、例えば両開きの扉裏面に収納籠が取り付けられたキャビネット本体であっても、扉裏面の収納空間を乾燥手段で乾燥状態として各種収納物を収納でき、キャビネット本体の使い勝手をより一層向上させることができる。
【発明を実施するための最良の形態】
【００１４】
以下、本発明の実施の形態を図面に基づいて詳細に説明する。
図１〜図４は、本発明に係わるキャビネットとしてのシンクキャビネットの一実施形態を示し、図１がその斜視図、図２がその正面図、図３がその縦断面図、図４が図３のＡ部の拡大図である。
【００１５】
図１〜図３に示すように、シンクキャビネット１は、ステンレスやアルミニウム等の金属板や耐熱性ある樹脂板かもしくは内面側がこれらの耐熱材で形成された、左右の側板２ａ、背面板２ｂ、前面上部に配置された前板２ｃ及び幕板２ｄ、底板２ｅ及び高さ方向の後方所定高さ位置に配置された中間底板２ｆ等からなるキャビネット本体２を有している。そして、このキャビネット本体２の上面開口部にはシンク３ａを有するカウンター３が配置され、キャビネット本体２の前板２ｃ下方の開口部には上部引き出し４と下部引き出し５が引き出し可能に配設されている。
【００１６】
また、キャビネット本体２の内部後方には、シンク３ａの底面の排水口としての排水装置６に接続された排水管やシンク３ａの後方上面の水栓に接続された給水管、あるいはシンクキャビネット１に食器洗い乾燥機や浄水器が設置される場合はその分岐水栓等からなる各種配管（以下、これらを給排水管７という）が、例えば上下方向に指向して配置されている。そして、この給排水管７は、その前方でキャビネット本体２内に配置されたカバー８で覆われて隠蔽されることにより、前方から視認されないようになっている。
【００１７】
この時、カバー８は、樹脂のインジェクション成形により、例えば上下方向に三分割された上カバー８ａと中カバー８ｂ及び下カバー８ｃとで形成され、中カバー８ｂは、その上端が上カバー８ａの下端に係止され、その下端が下カバー８ｃの上端に係止されることにより着脱可能に配設されている。また、上カバー８ａは、後述する換気装置９部分から後方側に向けて低くなるように斜めに傾斜して設けられて、排水装置６部分を下方から覆うように形成されている。これにより、カバー８の前面形状が、上カバー８ａから中カバー８ｂ及び下カバー８ｃに沿って空気の流れが良好となるように設定されている。
【００１８】
また、キャビネット本体２の前板２ｃ下部とシンク３ａの前側底部との間に形成される空間内には換気手段を構成する換気装置９と乾燥手段を構成するヒータ１０が一体化された状態で配置されている。このうち換気装置９は、図２及び図４に示すように、ファンケース９ａに取り付けられたクロスフローファン９ｂ（以下、単にファン９ｂという）と、このファン９ｂの回転軸に連結されたモータ９ｃと、ファンケース９ａに設けられた整流板９ｄ等を有している。
【００１９】
そして、換気装置９は、ファンケース９ａの長さが例えばキャビネット本体２の左右の全幅より僅かに短い寸法に設定されることにより、キャビネット本体２の前板２ｃ（鏡板２ｄ）下部にその左右幅方向の略全域に亘って配置されている。この時、図４に示すように、換気装置９のファンケース９ａの前面側には、例えばアルミニウムの押出し成形品かあるいは樹脂成形品で形成された吸込口カバー１１が一体的に取り付けられ、この吸込口カバー１１には、図２に拡大して示すように、例えばパンチング孔で形成された多数の円孔からなる吸込口１１ａが設けられている。
【００２０】
前記換気装置９のモータ９ｃは、略一定の回転数を有するものが使用されるが、回転数が調整できるモータ９ｃの使用も勿論可能であり、そのモータコードが前記吸込口カバー１１の例えば右側端部に取り付けられた操作盤１２（図２参照）に接続されている。この操作盤１２には、電源が接続されると共に運転・停止スイッチ１２ａや表示器１２ｂ等が設けられ、運転・停止スイッチ１２ａがオン操作された場合に、ファン９ｂが回転するようになっている。なお、ファン９ｂの長さや送風容量によっては、モータ９ｃをファン９ｂの回転軸の両側に配置したり、複数のファン９ｂを軸方向に連接して設ける構成としても良い。
【００２１】
また、換気装置９の整流板９ｄは、その向きや形状が図４に示すように、ファン９ｂの回転による送風が上カバー８ａの内面に沿って後方側に良好に流れるように設定されており、この整流板９ｄとファンケース９ａ等によって送風口１３が形成されている。そして、この送風口１３内には、前記乾燥手段としてのヒータ１０が配置されている。このヒータ１０は、石英管ヒータ、ニクロムヒータ、シーズヒータ等の棒状ヒータ、面状またはパネル状ヒータ等の電熱式で自己温度制御可能なものが使用され、そのヒータコードが前記操作盤１２に接続されて、運転・停止スイッチ１２ａがオン操作された場合に、ヒータ１０が通電されて所定温度まで加熱されるようになっている。
【００２２】
前記上部引き出し４は、図３に示すように、底板と、例えばパンチング板で形成された背板及び側板等で箱状に形成された箱部４ａと、この箱部４ａの前面側に固定され表面が鏡面仕上げされた扉４ｂ等で形成され、その側板外面に設けたガイドを、キャビネット本体２の側板２ａ内面に設けた図示しないガイドレールに係合させることにより、キャビネット本体２に対して出し入れ可能に配設されている。そして、この上部引き出し４内には、金属棒を溶接すること等により、底部、前後部、左右の側部を有する格子状に形成されて通気性の良好な網籠１４が取り出し可能にセットされている。
【００２３】
また、前記下部引き出し５は、底板と、例えばパンチング板で形成された背板及び側板等で箱状に形成された箱部５ａと、この箱部５ａの前面上部に固定され表面が鏡面仕上げされた扉５ｂと、箱部５ａの前面下部に扉５ｂより奥側に配置された蹴込み板５ｃ等で形成されている。そして、前記上部引き出し４と同様に側板外面に設けたガイドを、キャビネット本体２の側板２ａ内面に設けた図示しないガイドレールに係合させることにより、キャビネット本体２に対して出し入れ可能に配設されている。
【００２４】
この時、下部引き出し５の蹴込み板５ｃには、例えば吸込口カバー１１と略同様の吹出口カバー２２（図１及び図２参照）が一体的に取り付けられ、この吹出口カバー２２には、パンチング孔で形成された多数の円孔からなる吹出口１５が形成されて、この吹出口１５がキャビネット本体２の底板２ｅ上面に形成される空気の通路に連通状態とされている。なお、吹出口１５は、蹴込み板５ｃの下端部を単に切り欠くこと等によって形成することも勿論可能である。また、下部引き出し５の蹴込み板５ｃ下端は、キッチンの床面にキッチンマットを敷設できるように、床面から高さ１８ｍｍ程度浮いた状態に設定され、さらに、下部引き出し５の扉５ｂと蹴込み板５ｃは連結金具等で連結され、また、下部引き出し５と上部引き出し４は、引き出し操作した際に、所定の引き出し位置に停止されるようになっている。
【００２５】
次に、このように構成されたシンクキャビネット１の動作の一例を図３及び図４等を参照して説明する。先ず、上部引き出し４を引き出して該引き出し４内にセットされている網籠１４の中に鍋、フライパン、ボール等の調理器具を収納し、上部引き出し４を後方側に押してキャビネット本体２内に格納する。そして、この状態でキャビネット本体２前面の操作盤１２の運転・停止スイッチ１２ａを押してオンさせると、換気装置９のモータ９ｃが回転してファン９ｂが図４の矢印イ方向に回転すると共に、ヒータ１０に電源が供給されて該ヒータ１０がオンして所定温度まで加熱される。この時、モータ９ｃの回転とヒータ１０への電源の供給は略同時に行われるが、モータ９ｃとヒータ１０とを所定の時間差を持ってオンさせることも勿論可能である。
【００２６】
換気装置９のモータ９ｃが回転すると、吸込口カバー１１の吸込口１１ａから空気がファンケース９ａ内に矢印ロの如く吸い込まれ、この吸込口１１ａから吸い込まれた空気は、回転しているファン９ｂ内を矢印ハの如く流れて送風口１３を介してキャビネット本体２内に送られる。そして、この送風口１３を流れる空気は、該送風口１３内に配置されたヒータ１０の外周面に沿って流れることにより加温されて所定温度の温風となる。この時、ヒータ１０が比較的狭い間隔の送風口１３部分に配置されていることから、ファン９ｂで送風される空気がヒータ１０の外周面に良好に接触しつつ流れて、空気が効率良く温風となりキャビネット本体２内に送られることになる。
【００２７】
このキャビネット本体２内に送られた空気は、上カバー８ａの内面に沿ってキャビネット本体２の後方側に流れ、図３に示すように、矢印ニの如く上カバー８ａの後端部から中カバー８ｂ及び下カバー８ｃの前面（内面）に沿って下方に流れる。そして、下カバー８ｃに沿って流れた空気は、矢印ホの如くキャビネット本体２の底板２ｅ内面（上面）に沿って前方側に流れ、底板２ｅの前端から吹出口１５を介して、矢印ヘの如くキャビネット本体２外に吹き出される。
【００２８】
これにより、キャビネット本体２の前面上部で吸い込まれた空気が、ヒータ１０で加温されて温風となりつつキャビネット本体２内の後方側のカバー８前面部分を流れて底板２ｅ部分からキッチン内に吹き出され、カバー８の内面やキャビネット本体２の底板２ｅ内面に空気（温風）の通路（流路）が形成されることになる。また、ファン９ｂとヒータ１０で送られる温風の一部は、上部引き出し４内や下部引き出し５内にも流れることになり、このキャビネット本体２内を流れる温風により、キャビネット本体２内が換気されると共に乾燥されてキャビネット本体２内のじめじめ感等を解消でき、例えば通気性を有する網籠１４内に調理器具等が清潔感を維持した状態で収納されることになる。
【００２９】
つまり、このシンクキャビネット１の場合、キャビネット本体２の前面上部の空間内に配置された換気装置９のファン９ｂとヒータ１０とにより、キッチン内の空気を上部の吸込口１１ａから吸い込んで所定温度の温風とし、この温風をキャビネット本体２内を流通させた後に、キャビネット本体２の下部の吹出口１５からキッチンの床面上に吹き出すことで、キャビネット本体２内を換気・乾燥させて、例えばキャビネット本体２内の湿気等を除去できることになる。
【００３０】
このように、上記実施形態のシンクキャビネット１にあっては、キャビネット本体２内の前面上部に換気装置９とヒータ１０が配置され、前面上部に吸込口１１ａを有する吸込口カバー１１が設けられると共に、下部引き出し５の蹴込み板５ｃ下端に吹出口１５が設けられているため、換気装置９のファン９ｂの回転によりキャビネット本体２内に吸い込まれた空気がヒータ１０で加温されて温風となり、この温風がキャビネット本体２の内部を流通して、例えば内部の湿った空気を外部に排出することができる。
【００３１】
特に、キャビネット本体２の前面上部の前板２ｃとシンク３ａの前面との間に形成される空間に換気装置９とヒータ１０とが一体化された状態で配置され、キャビネット本体２の前面下部に設けた吹出口１５から温風が吹き出されることから、キッチンの所定高さ位置から湿度の低い室内空気をキャビネット本体２の上部に吸い込んで温風として下方に向けて流通させ、キャビネット本体２の下部の吹出口１５からキッチンの床面上に吹き出して、キャビネット本体２内を良好に換気させると同時に乾燥させることができる。
【００３２】
またこの時、キャビネット本体２の内部後方側に配置されたカバー８の前面形状が、換気装置９とヒータ１０による温風の流れを促進できる面形状を有すると共に、換気装置９のファンケース９ａに設けられた送風口１３内にヒータ１０が配置されているため、外部から吸い込まれた空気を効率的に温風としてカバー８の内面に沿い例えばキャビネット本体２の下方に効果的に流すことができて、キャビネット本体２内の換気と乾燥を効率良く行うことができる。その結果、排水装置６が配置されたり給排水管７が配置されるキャビネット本体２内部のじめじめ感を解消することができると共に、湿気のキャビネット本体２内面への付着等を防止して、キャビネット本体２の耐久性を高めることが可能となる。
【００３３】
また、キャビネット本体２内のシンク３ａの排水装置６に接続された給排水管７の前面側がカバー８で覆われるため、上下の引き出し４、５を引き出した際に、キャビネット本体２内に給排水管７等が露出して使用者に視認されることがなく、キャビネット本体２内に清潔感のあるイメージを得ることができる。この清潔感と前述した湿気の解消により、従来じめじめ感がありその多くがデッドスペースとなっていたキャビネット本体２内のシンク３ａ下方の空間を、調理器具等の収納空間として有効活用することができ、特に、キャビネット本体２内に上下２段の引き出し４、５を設けることで空間の収納効率を高めることができて、使い勝手に優れたシンクキャビネット１を得ることが可能となる。なお、給水配管７が使用者に視認され難くなる限りにおいて、給水配管７全体を完全に覆う必要はない。
【００３４】
またさらに、キャビネット本体２内に配設された上下の引き出し４、５のうち少なくとも上部引き出し４が、その箱部４ａの底板上に網籠１４が出し入れ可能に載置されるため、例えば洗浄後の調理器具を網籠１４に入れてシンク３ａやカウンター３上で十分に水切りした後、もしくは網籠１４に入れて極短時間水切りした後に上部引き出し４に収納してキャビネット本体２内で乾燥させることができる。その結果、例えば対面型キッチンの場合に、カウンター３上に調理器具等を一時置いておく必要がなくなり常にカウンター３上を整理・整頓できて、突然の来客があった場合でも、従来のようにリビングから視認されるカウンター３上をあわてて片付ける必要がなくなり、シンクキャビネット１の使い勝手の一層の向上を図ることができる。
【００３５】
さらに、キャビネット本体２に設けられる吹出口１５が下部引き出し５の蹴込み板５ｃの下端に設けられるため、吹出口１５がキッチンの使用者に容易に視認されることがなくなり、シンクキャビネット１としての意匠的価値の低下を防止することができると共に、ヒータ１０の作動による温風を足元暖房としても使用できて、例えば対面型のシステムキッチン等に好適に使用することが可能となる。また、キャビネット本体２が金属や耐久性のある樹脂で形成されているため、温度や湿度あるいは水滴等に対するキャビネット１自体の耐久性を高めることができて、乾燥機能による耐久性の向上と合わせ、長期に亘り安定して使用できるシンクキャビネット１を提供することが可能となる。
【００３６】
図５〜図８は、本発明に係わるシンクキャビネットのそれぞれ他の実施形態を示している。以下、上記実施形態と同一部位には、同一符号を付して説明する。先ず、図５に示すシンクキャビネット１の特徴は、上部引き出し４の下部に中間底板２ｇを配置し、キャビネット本体２の空間を上部引き出し４側の収納空間Ｋ１と下部引き出し５側の収納空間Ｋ２とに区画すると共に、上部引き出し４の扉４ｂの下部に吹出口１５を設けた点にある。
【００３７】
この時、吹出口１５は例えば扉４ｂの下部に所定形状の切欠きや開口を設けることで形成され、キャビネット本体２内の上下方向に二つに区画された収納空間Ｋ１、Ｋ２は、上部引き出し４で形成される上部の収納空間Ｋ１が換気と乾燥機能を持つ乾燥庫として使用され、下部引き出し５で形成される下部の収納空間Ｋ２が換気と乾燥機能を持たない従来と同様の収納庫として使用されるようになっている。なお、この実施形態の場合には、上部引き出し４に設けられる吹出口１５を、吸込口１１ａや前記第１の実施形態の吹出口１５と同様に吹出口カバーで形成することも可能である。
【００３８】
この実施形態によれば、換気装置９とヒータ１０により送風される温風が、上カバー８ａと中カバー８ｂの前面及び中間底板２ｇの上面に沿って流れて吹出口１５から吹き出されると共に、温風の一部が上部引き出し４内を流れることになり、上部引き出し４（収納空間Ｋ１）内において上記実施形態と同様の作用効果を得ることができる。また、キャビネット本体２内の空間が上下方向に二つに区画されて、一方を乾燥庫として使用でき他方を通常の収納庫として使用できることから、収納物に応じて所定の収納空間Ｋ１、Ｋ２を使用できて、シンクキャビネット１の使い勝手を一層向上できるという作用効果も得られる。
【００３９】
また、図６に示すシンクキャビネット１の特徴は、キャビネット本体２内の空間を左右幅方向に仕切板２１で区画して２つの収納空間Ｋ１、Ｋ２を形成し、各収納空間Ｋ１、Ｋ２に引き出し１６ａ、１６ｂを出し入れ可能に配置すると共に、一方の収納空間Ｋ１に換気装置９とヒータ１０を配置し、他方の収納空間Ｋ２は換気装置９やヒータ１０を配置しない従来と同様に形成した点にある。
【００４０】
すなわち、図６（ａ）に示すように、上記実施形態と同様にファン９ｂとヒータ１０が一体化されたヒータ１０付きの換気装置９を、キャビネット本体２の一方の収納空間Ｋ１の上部で前板２ｃ後部の空間に配置し、換気装置９とヒータ１０で生成される温風を収納空間Ｋ１内に流して該空間Ｋ１内を換気・乾燥させる。また、他方の収納空間Ｋ２は、換気装置９とヒータ１０を配置しない一般的な収納庫とする。この実施形態においても、一方の収納空間Ｋ１を乾燥庫として使用できると共に、他方の収納空間Ｋ２を一般的な収納庫として使用でき、図５と同様の作用効果を得ることができる。
【００４１】
なお、この実施形態の場合は、図６（ｂ）に示すように、換気装置９を両収納空間Ｋ１、Ｋ２に対応させて配置しヒータ１０を一方の収納空間Ｋ１にのみに配置して、一方の収納空間Ｋ１を換気と乾燥機能を有する乾燥庫とし他方の収納空間Ｋ２を換気機能を有する収納庫として使用することもできる。このように構成する場合は、換気装置９とヒータ１０は別体で形成し、収納空間Ｋ１への配置は、例えば図７に示すようにして行うことができる。
【００４２】
すなわち、換気装置９のファンケース９ａの下部に下方に指向させて前記送風口１３とは別の分岐送風口１７を設け、この分岐送風口１７の下方で引き出し１６ａの扉１８の裏面にヒータ１０を配置する。また、ヒータ１０は、例えば上面に吸気口１９ａが形成され下面と側面にかけて排出口１９ｂが設けられた安全ケース１９内に収納配置され、換気装置９のファン９ｂから分岐された空気を温風としてキャビネット本体２内に送るように設定する。この構成によれば、換気装置９のファン９ｂによる送風を２系統でキャビネット本体２内に流して、所定の収納空間Ｋ１、Ｋ２や網籠１４内の調理器具等を乾燥させたり、あるいは換気・乾燥できることになる。
【００４３】
さらに、図８に示すシンクキャビネット１の特徴は、キャビネット本体２の両側板２ａの前端に回動軸を介して裏面に網籠１４が取り付けられた一対の扉２０を両開き式に設けると共に、この両扉２０の裏面上部にヒータ１０をそれぞれ配置し、キャビネット本体２の前面上部の空間に換気装置９を配置した点にある。この時のヒータ１０も、図７と同様にして扉２０の裏面上部に取り付けられる。この実施形態においても、換気装置９とヒータ１０により温風をキャビネット本体２内や網籠１４内に流すことができて、上記実施形態と同様の作用効果が得られる他に、扉２０の開閉操作と同時に引き出される網籠１４内の収納物を収納状態で効率的に乾燥できて、シンクキャビネット１の使い勝手の一層の向上を図ることができる。
【００４４】
なお、本発明は、上記した各実施形態のそれぞれに限定されるものではなく、例えば図７に示すヒータ１０の取付構造を図３や図５の実施形態に適用する等、各実施形態の一部や全部を適宜に組み合わせる構成とすることもできる。また、上記各実施形態において、扉の開閉を検知して閉状態の時のみに換気装置９やヒータ１０をオンさせる構成としたり、キャビネット本体２内の湿度や温度を検知して、所定値の場合に換気装置９やヒータ１０等をオンさせる構成とすることもできる。
【００４５】
さらに、上記各実施形態においては、給排水管７の前面を覆うカバー８を上下方向の三分割構造としたが、例えば中カバー８ｂを上方に延ばすことで上カバー８ａを省略する等して略上下方向に二分割構造としても良いし、送風される温風の向きを直接中カバー８ｂに当たるようにやや下方に設定して、上カバー８ａを省略しても良い。また、左右方向の分割構造や部分的に分割した構成とする等、給排水管７の保守点検が可能な適宜のカバー構造を採用することができる。また、上記各実施形態におけるキャビネット本体２の形態、上部引き出し４や下部引き出し５等の形状、換気装置９の構成、ヒータ１０の配置位置等も一例であって、例えばキャビネット本体２の前板２ｂを省略した構成とする等、本発明に係わる各発明の要旨を逸脱しない範囲において適宜の構成を採用することができる。
【産業上の利用可能性】
【００４６】
本発明は、システムキッチンのシンクキャビネットに限らず、例えば単体のシンクキャビネットやボウルを有する洗面化粧台等の各種キャビネットにも適用できる。
【図面の簡単な説明】
【００４７】
【図１】本発明に係わるキャビネットの一実施形態を示す斜視図
【図２】同その正面図
【図３】同その縦断面図
【図４】同図３のＡ部の拡大図
【図５】本発明に係わるキャビネットの他の実施形態を示す図３と同様の断面図
【図６】本発明に係わるキャビネットのさらに他の実施形態を示す横断面図
【図７】同その要部の拡大した縦断面図
【図８】本発明に係わるキャビネットのさらに他の実施形態を示す横断面図
【符号の説明】
【００４８】
１・・・シンクキャビネット、２・・・キャビネット本体、３・・・カウンター、３ａ・・・シンク、４・・・上部引き出し、５・・・下部引き出し、６・・・排水装置、７・・・給排水管、８・・・カバー、８ａ・・・上カバー、８ｂ・・・中カバー、８ｃ・・・下カバー、９・・・換気装置、９ａ・・・ファンケース、９ｂ・・・クロスフローファン、９ｃ・・・モータ、９ｄ・・・整流板、１０・・・ヒータ、１１・・・吸込口カバー、１１ａ・・・吸込口、１２・・・操作盤、１３・・・送風口、１４・・・網籠、１５・・・吹出口、１６ａ、１６ｂ・・・引き出し、１７・・・分岐送風口、１８・・・扉、１９・・・安全ケース、１９ａ・・・吸気口、１９ｂ・・・排出口、２０・・・扉、２１・・・仕切板、Ｋ１、Ｋ２・・・収納空間。
【図１】
2006061525.tif 000003
【図２】
2006061525.tif 000004
【図３】
2006061525.tif 000005
【図４】
2006061525.tif 000006
【図５】
2006061525.tif 000007
【図６】
2006061525.tif 000008
【図７】
2006061525.tif 000009
【図８】
2006061525.tif 000010